【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
ユーザの端末との間で電気通信回線を介して接続されているポイントサーバであって、
金銭的価値を示すポイントの付与実績に基づいて各ユーザが振り分けられる複数のランクと、該各ランクを区分するポイント付与実績の閾値とを含むランク情報を記憶するランク情報記憶手段と、
ユーザに付与したポイントの数と、該ポイントを付与した時期とを少なくとも含むポイント情報をユーザの識別情報ごとに区別して記憶するポイント情報記憶手段と
を有し、
前記電気通信回線を介してユーザの識別情報を受信し、該識別情報に基づいてユーザを特定するユーザ特定手段と、
前記受信した識別情報に対応するユーザのポイント情報を前記ポイント情報記憶手段より読み出して、前記ランク情報記憶手段より読み出したランク情報を基に、現在振り分けられている現行ランクを判定する現行ランク判定手段と、
現在から所定期間先に該ユーザが振り分けられるべき暫定ランクを判定する暫定ランク判定手段と、
前記現行ランクと前記暫定ランクとの対比結果に基づいて、予想されるランクの変化を示すランク変化情報を少なくとも含む前記ユーザのランク表示情報を生成するランク表示情報生成手段と、
前記ユーザの前記ランク表示情報を、前記電気通信回線を介して送信するランク表示情報送信手段と
を備えることを特徴とするポイントサーバ。
【請求項２】
請求項１に記載のポイントサーバにおいて、
前記ポイント情報記憶手段は、前記現行ランク判定手段によって求められた前記現行ランクを前記ポイント情報に含めてユーザの識別情報ごとに区別して記憶し、
前記ランク表示情報生成手段は、前記現行ランクを前記ポイント情報記憶手段から取得する
ことを特徴とするポイントサーバ。
【請求項３】
請求項１又は２に記載のポイントサーバにおいて、
前記ランク表示情報生成手段は、前記ランク変化情報がランクダウン又はランクキープである場合、ランクキープ及び／又はランクアップできる単数又は複数の推奨商品を選定して、前記ランク表示情報に付加する
ことを特徴とするポイントサーバ。
【請求項４】
請求項３に記載のポイントサーバにおいて、
推奨商品の更新要求を受信する推奨商品更新要求受信手段と、
新たな推奨商品を選定して、更新のための推奨商品を送信する更新情報送信手段と
をさらに備え、
前記更新情報送信手段は、前記推奨商品更新要求受信手段が推奨商品の更新要求を受信したとき、新たな推奨商品を選定して、更新のための推奨商品を送信する
ことを特徴とするポイントサーバ。
【請求項５】
請求項１〜４のいずれかに記載のポイントサーバにおいて、
前記ランク表示情報生成手段は、前記ランク変化情報がランクダウン又はランクキープである場合、前記ランク変化情報として、ランクキープ又はランクアップに必要な条件を算出し、ランク表示情報に付加する
ことを特徴とするポイントサーバ。
【請求項６】
請求項５に記載のポイントサーバにおいて、
前記ランク表示情報生成手段は、算出したランクキープ又はランクアップに必要な条件の値が所定値より大きい場合、該必要な条件をランク表示情報に含めない
ことを特徴とするポイントサーバ。
【請求項７】
ユーザの端末との間で電気通信回線を介して接続されているポイントサーバにおける方法であって、
該ポイントサーバは、金銭的価値を示すポイントの付与実績に基づいて各ユーザが振り分けられる複数のランクと、該各ランクを区分するポイント付与実績の閾値とを含むランク情報を記憶するランク情報記憶手段と、
ユーザに付与したポイントの数と、該ポイントを付与した時期とを少なくとも含むポイント情報をユーザの識別情報ごとに区別して記憶するポイント情報記憶手段とを有し、
前記電気通信回線を介して、ユーザの識別情報を受信し、前記識別情報に基づいてユーザを特定するユーザ特定ステップと、
前記受信した識別情報に対応するユーザのポイント情報を前記ポイント情報記憶手段より読み出して、前記ランク情報記憶手段より読み出したランク情報を基に、現在振り分けられている現行ランクを判定する現行ランク判定ステップと、
現在から所定期間先に該ユーザが振り分けられるべき暫定ランクを判定する暫定ランク判定ステップと、
前記現行ランクと前記暫定ランクとの対比結果に基づいて、予想されるランクの変化を示すランク変化情報を少なくとも含む前記ユーザのランク表示情報を生成するランク表示情報生成ステップと、
前記ユーザの前記ランク表示情報を、前記電気通信回線を介して送信するランク表示情報送信ステップと
を備えることを特徴とするポイントサーバにおける方法。
【請求項８】
金銭的価値を示すポイントの付与実績に基づいて各ユーザが振り分けられる複数のランクと、該各ランクを区分するポイント付与実績の閾値とを含むランク情報を記憶するランク情報記憶手段と、
ユーザに付与したポイントの数と、該ポイントを付与した時期とを少なくとも含むポイント情報をユーザの識別情報ごとに区別して記憶するポイント情報記憶手段と
を有し、ユーザの端末との間で電気通信回線を介して接続されているポイントサーバを、
前記電気通信回線を介してユーザの識別情報を受信し、該識別情報に基づいてユーザを特定するユーザ特定手段と、
前記受信した識別情報に対応するユーザのポイント情報を前記ポイント情報記憶手段より読み出して、前記ランク情報記憶手段より読み出したランク情報を基に、現在振り分けられている現行ランクを判定する現行ランク判定手段と、
現在から所定期間先に該ユーザが振り分けられるべき暫定ランクを判定する暫定ランク判定手段と、
前記現行ランクと前記暫定ランクとの対比結果に基づいて、予想されるランクの変化を示すランク変化情報を少なくとも含む前記ユーザのランク表示情報を生成するランク表示情報生成手段と、
前記ユーザの前記ランク表示情報を、前記電気通信回線を介して送信するランク表示情報送信手段
として動作させることを特徴とするプログラム。
【手続補正２】
【補正対象書類名】明細書
【補正対象項目名】００１２
【補正方法】変更
【補正の内容】
【００１２】
上記目的を達成するため、本発明は、ユーザの端末との間で電気通信回線を介して接続されているポイントサーバであって、金銭的価値を示すポイントの付与実績に基づいて各ユーザが振り分けられる複数のランクと、該各ランクを区分するポイント付与実績の閾値とを含むランク情報を記憶するランク情報記憶手段と、ユーザに付与したポイントの数と、該ポイントを付与した時期とを少なくとも含むポイント情報をユーザの識別情報ごとに区別して記憶するポイント情報記憶手段とを有し、前記電気通信回線を介してユーザの識別情報を受信し、該識別情報に基づいてユーザを特定するユーザ特定手段と、前記受信した識別情報に対応するユーザのポイント情報を前記ポイント情報記憶手段より読み出して、前記ランク情報記憶手段より読み出したランク情報を基に、現在振り分けられている現行ランクを判定する現行ランク判定手段と、現在から所定期間先に該ユーザが振り分けられるべき暫定ランクを判定する暫定ランク判定手段と、前記現行ランクと前記暫定ランクとの対比結果に基づいて、予想されるランクの変化を示すランク変化情報を少なくとも含む前記ユーザのランク表示情報を生成するランク表示情報生成手段と、前記ユーザの前記ランク表示情報を、前記電気通信回線を介して送信するランク表示情報送信手段とを備えることを特徴とする。
【手続補正３】
【補正対象書類名】明細書
【補正対象項目名】００１３
【補正方法】変更
【補正の内容】
【００１３】
前記ポイント情報記憶手段は、前記現行ランク判定手段によって求められた前記現行ランクを前記ポイント情報に含めてユーザの識別情報ごとに区別して記憶し、前記ランク表示情報生成手段は、前記現行ランクを前記ポイント情報記憶手段から取得してもよい。
前記ランク表示情報生成手段は、前記ランク変化情報がランクダウン又はランクキープである場合、ランクキープ及び／又はランクアップできる単数又は複数の推奨商品を選定して、前記ランク表示情報に付加してもよい。
推奨商品の更新要求を受信する推奨商品更新要求受信手段と、新たな推奨商品を選定して、更新のための推奨商品を送信する更新情報送信手段とをさらに備え、前記更新情報送信手段は、前記推奨商品更新要求受信手段が推奨商品の更新要求を受信したとき、新たな推奨商品を選定して、更新のための推奨商品を送信してもよい。
【手続補正４】
【補正対象書類名】明細書
【補正対象項目名】００１５
【補正方法】変更
【補正の内容】
【００１５】
また、上記目的を達成するため、本発明は、ユーザの端末との間で電気通信回線を介して接続されているポイントサーバにおける方法であって、該ポイントサーバは、金銭的価値を示すポイントの付与実績に基づいて各ユーザが振り分けられる複数のランクと、該各ランクを区分するポイント付与実績の閾値とを含むランク情報を記憶するランク情報記憶手段と、ユーザに付与したポイントの数と、該ポイントを付与した時期とを少なくとも含むポイント情報をユーザの識別情報ごとに区別して記憶するポイント情報記憶手段とを有し、前記電気通信回線を介して、ユーザの識別情報を受信し、前記識別情報に基づいてユーザを特定するユーザ特定ステップと、前記受信した識別情報に対応するユーザのポイント情報を前記ポイント情報記憶手段より読み出して、前記ランク情報記憶手段より読み出したランク情報を基に、現在振り分けられている現行ランクを判定する現行ランク判定ステップと、現在から所定期間先に該ユーザが振り分けられるべき暫定ランクを判定する暫定ランク判定ステップと、前記現行ランクと前記暫定ランクとの対比結果に基づいて、予想されるランクの変化を示すランク変化情報を少なくとも含む前記ユーザのランク表示情報を生成するランク表示情報生成ステップと、前記ユーザの前記ランク表示情報を、前記電気通信回線を介して送信するランク表示情報送信ステップとを備えることを特徴とする。